(57)【特許請求の範囲】
【請求項１】
高低差を持った島或は島間をパチンコ玉が循環する搬送経路を備え、前記搬送路を流れるパチンコ玉が衝突する部位に磁性を持たせたことを特徴とするパチンコ玉衝撃吸収機構。
【請求項２】
前記パチンコ玉が衝突する部位が、パチンコ玉が貯蔵されるタンクであることを特徴とする請求項１に記載のパチンコ玉衝撃吸収機構。
【請求項３】
磁性を持った前記パチンコ玉が流れる樋には、消磁器が設けられていることを特徴とする請求項１に記載のパチンコ玉衝撃吸収機構。
【発明の詳細な説明】
【０００１】
【発明の属する技術分野】
本発明は、パチンコ玉の衝撃力を吸収するパチンコ玉衝撃吸収機構に関する。
【０００２】
【従来の技術】
パチンコホールでは、図９に示すように、島３０内或いは島３０間をパチンコ玉が循環しパチンコ台３２にパチンコ玉を供給している。島３０内或いは島３０間には、高低差を持たせてパチンコ玉の搬送経路（例えば、島間に掛け渡された樋３４）が設けられており、搬送経路が変更される部位では、自然流下するパチンコ玉が相当な衝撃力を持って壁体に衝突する。
【０００３】
また、図１０に示すように、パチンコ玉Ｐが貯蔵される貯蔵タンク１０においても、シュート１２から流れてくるパチンコ玉Ｐが側壁１０ａに衝突すると、側壁１０ａが損傷するため、ウレタン等の耐衝撃性のある衝撃吸収板２６を貼着して、側壁１０ａに作用する衝撃力を緩和し、側壁１０ａの損傷を防止する処置が採られていた。しかし、衝撃吸収板２６は、時間の経過と共に磨耗し、定期的な交換が必要となる。
【０００４】
一方、図１１に示すように、パチンコ玉Ｐの排出口４０を貯蔵タンク４２の底面４２ａより上方に設け、底面４２ａにパチンコ玉Ｐを貯めて緩衝体とし、シュート１２から落下してくるパチンコ玉Ｐの衝撃力を分散させるものがある。
【０００５】
しかし、このアイデアでは、パチンコ玉Ｐを貯める部位が底面（水平面）に限られており、図１０に示したような、側壁１０ａにパチンコ玉Ｐが衝突するものや、搬送経路中の壁体には、適用することができない。
【０００６】
【発明が解決しょうとする課題】
本発明はかかる事実を考慮して、メンテナンスが不要で、パチンコ玉が衝突する壁体の損傷を防止できるパチンコ玉衝撃吸収機構を提供することを課題とする。
【０００７】
【課題を解決するための手段】
請求項１に記載の発明では、高低差を持った島或は島間をパチンコ玉が循環する搬送経路を備えており、搬送経路を流れるパチンコ玉が衝突する部位に磁性を持たせてある。このため、例えば、移動方向を変更する部位（壁体）では、壁体にパチンコ玉が吸着され、この吸着したパチンコ玉に搬送経路を流下してきたパチンコ玉が不規則に衝突してランダムに衝撃力が分散され、壁体に大きな衝撃力が作用しない。
【０００８】
このように、パチンコ玉は直接壁体に衝突することなく、パチンコ玉同士が衝突して衝撃力を分散させるので、衝撃吸収板を貼着しなくても、壁体が衝撃力によって破損することがない。
【０００９】
また、磁性を持たせて強制的にパチンコ玉を吸着するので、水平面（底面等）に限らず、パチンコ玉が衝突する部位であれば、どこでも使用できる。
【００１０】
請求項２に記載の発明では、前記パチンコ玉が衝突する部位が、パチンコ玉が貯蔵されるタンクであることを特徴としている。
【００１１】
請求項３に記載の発明では、磁性を持った前記パチンコ玉が流れる樋には、消磁器が設けられていることを特徴としている。これにより、パチンコ玉に帯電した残留磁気を除去して、磁性を帯びたパチンコ玉がシステムに悪影響を与えることを防止している。
【００１２】
【発明の実施の形態】
図１には、本形態に係るパチンコ玉衝撃吸収機構を備えた貯蔵タンク１０が示されている。貯蔵タンク１０は鉄製の箱体で、下り勾配で傾斜したシュート１２から流下したパチンコ玉Ｐを貯蔵するものである。パチンコ玉Ｐが衝突する貯蔵タンク１０の側壁１０ａの外側には、永久磁石１４が貼り付けられており、この永久磁石１４の磁力によって、パチンコ玉Ｐが側壁１０ａに吸着するようになっている。
【００１３】
貯蔵タンク１０にいったん貯蔵されたパチンコ玉Ｐは、図２に示す樋１８を流れて研磨装置へ送られる。この樋１８には、消磁器１６が形成されており、サーミスタを介して消磁コイル２０に電流器２２から時間と共に減衰する消磁電流が流される。これによって、消磁コイル２０に発生する磁束密度が集束されて、パチンコ玉Ｐに帯電した残留磁気を除去して、磁気を帯びたパチンコ玉Ｐがシステムや計測機器に悪影響を与えることを防止している。
【００１４】
次に、本形態に係るパチンコ玉衝撃吸収機構の作用を説明する。
【００１５】
図３に示すように、最初に側壁１０ａに当たった複数のパチンコ玉Ｐは、磁力によって吸着され、この側壁１０ａに吸着した複数のパチンコ玉Ｐにより緩衝体が構成される。このため、図４に示すように、後続のパチンコ玉Ｐは、側壁１０ａに直接当たることなく、側壁１０ａに吸着したパチンコ玉Ｐを押し拡げるようにして側壁１０ａに衝突するため、衝突エネルギーは吸収される。
【００１６】
また、図５に示すように、貯蔵タンク１０の側壁１０ａに吸着したパチンコ玉Ｐと不規則に衝突し合い、衝撃力が分散される。さらに、図６に示すように、パチンコ玉Ｐが２層に吸着し、互いに押し退けるようにして衝突エネルギーを吸収する。
【００１７】
このように、パチンコ玉Ｐ同士が衝突して衝撃力を分散させ、直接貯蔵タンク１０の側壁１０ａには衝突しないので、衝撃吸収板を貼着しなくても、側壁１０ａが衝撃力によって破損することがない。
【００１８】
また、磁気を帯びたパチンコ玉Ｐは、消磁器１６によって残留磁気が除去され、研磨装置へ送られる。
【００１９】
なお、本形態では、永久磁石１４を使用したが、電磁石であっても構わない。また、貯蔵タンクを例に挙げて説明したが、例えば、図７及び図８に示す樋４４、４６のように、パチンコ玉の移動方向が変換される部位であれば、本形態のパチンコ玉衝撃吸収機構を使用することができる。
【００２０】
【発明の効果】
本発明は上記構成としたので、衝撃吸収板が不要となりメンテナンスの必要がなくなる。また、衝撃力による壁体の損傷を防止することができる。さらに、水平面に限らず、パチンコ玉が衝突する部位であれば、どこでも使用できる。
【図面の簡単な説明】
【図１】本形態に係るパチンコ玉衝撃吸収機構を備えた貯蔵タンクの断面図である。
【図２】本形態に係るパチンコ玉衝撃吸収機構の消磁器を示した斜視図である。
【図３】本形態に係るパチンコ玉衝撃吸収機構を備えた貯蔵タンクでのパチンコ玉の動きを示した概念図である。
【図４】本形態に係るパチンコ玉衝撃吸収機構を備えた貯蔵タンクでのパチンコ玉の動きを示した概念図である。
【図５】本形態に係るパチンコ玉衝撃吸収機構を備えた貯蔵タンクでのパチンコ玉の動きを示した概念図である。
【図６】本形態に係るパチンコ玉衝撃吸収機構を備えた貯蔵タンクでのパチンコ玉の動きを示した概念図である。
【図７】本形態に係るパチンコ玉衝撃吸収機構を備えた樋を示した概念図である。
【図８】本形態に係るパチンコ玉衝撃吸収機構を備えた樋を示した概念図である。
【図９】パチンコホールの島を示した斜視図である。
【図１０】従来のパチンコ玉衝撃吸収機構を備えた貯蔵タンクの断面図である。
【図１１】従来のパチンコ玉衝撃吸収機構を備えた貯蔵タンクの断面図である。
【符号の説明】
１４    永久磁石
【図１】
0003954137.tif 000002
【図２】
0003954137.tif 000003
【図３】
0003954137.tif 000004
【図４】
0003954137.tif 000005
【図５】
0003954137.tif 000006
【図６】
0003954137.tif 000007
【図７】
0003954137.tif 000008
【図８】
0003954137.tif 000009
【図９】
0003954137.tif 000010
【図１０】
0003954137.tif 000011
【図１１】
0003954137.tif 000012